(57)【要約】【課題】不慮の負傷から乳幼児を守ることができ、ベビーベッドに簡単に着脱可能に装着するつり床装置を提供する。【解決手段】補強ユニット４は、囲い３を立たせるように環状に配置された側壁３１、３３に対応して側壁３１、３３に着脱可能に取り付けられる複数のサイドプレート４１、４２を有する。サイドプレート４１は、長く並ぶように互いに係脱可能に連結自在な２つの枠板４１１、４１１から矩形状に構成され、２つの枠板４１１、４１１の間には着脱可能に凹凸に接合することができる係着部材４１３、４１４が設けられている。【選択図】図６
2014117605.tif 000002
【特許請求の範囲】
【請求項１】
ベビーベッドにおけるベッドフレームに配置されるものであって、
前記ベッドフレームに対して所定の高さに位置するように平面状に取り付けられるマットレスと、
前記マットレスの周囲四方を取り囲んで前記マットレスと共にスペースを画成した囲いと、
前記囲いを立たせるように前記囲いに着脱可能に取り付けられる補強ユニットと、
を備えていることを特徴とするつり床装置。
【請求項２】
前記囲いは、複数の側壁によって環状に配置され、
前記補強ユニットは、各前記側壁に対応して前記側壁に着脱可能に取り付けられる複数のサイドプレートを有することを特徴とする請求項１に記載のつり床装置。
【請求項３】
前記サイドプレートはそれぞれ、対応する前記側壁に対応する形状及びサイズを有し、
前記サイドプレートは、背中合わせの２つの側面部を有し、少なくとも１つの前記側面部は対応する前記側壁と密接するように設けられることを特徴とする請求項２に記載のつり床装置。
【請求項４】
前記サイドプレートは、前記マットレスの対向する一方の両側辺部のそれぞれに設けられる２つの第１のサイドプレートを含み、
各前記第１のサイドプレートは、前記第１のサイドプレートの横幅に沿う方向である第１の長手方向に沿って長く並ぶように互いに係脱可能に連結自在な２つの第１の枠板から矩形状に構成されることを特徴とする請求項３に記載のつり床装置。
【請求項５】
２つの前記第１の枠板の間には、着脱可能に凹凸接合することができる係着部材が設けられることを特徴とする請求項４に記載のつり床装置。
【請求項６】
各前記第１の枠板は、中空部を有する数本の通し柱が互いに所定の間隔をおいて前記第１の長手方向沿いに直線状に配置され、
各前記第１の枠板には、前記第１の枠板同士間を連結する差し棒が前記通し柱の前記中空部に挿入されるように設けられることを特徴とする請求項４に記載のつり床装置。
【請求項７】
前記通し柱は、対応する前記第１の枠板に前記第１の長手方向に延伸されると共に、前記第１の長手方向と垂直な方向における所定の間隔をおいて並列するように設けられていることを特徴とする請求項６に記載のつり床装置。
【請求項８】
前記サイドプレートは更に、前記マットレスの対向する他方の両側辺部のそれぞれに設けられる２つの第２のサイドプレートを含み、
前記第２のサイドプレートはそれぞれ、前記第２のサイドプレートの横幅に沿う方向である第２の長手方向に沿って延伸される第２の枠板から矩形状に構成され、
各前記第２の枠板は、数本の中空部を有する通し柱が互いに所定の間隔をおいて前記第２の長手方向沿いに直線状に配置され、
各前記第２の枠板には、差し棒が前記通し柱の前記中空部に挿入されるように設けられ、
前記通し柱は、対応する前記第２の枠板に前記第２の長手方向に延伸されると共に、前記第２の長手方向と垂直な方向における所定の間隔をおいて並列するように設けられていることを特徴とする請求項４に記載のつり床装置。
【請求項９】
前記側壁は布を２つ折りして構成され、背中合わせの外側部と内側部とを有し、
前記外側部と前記内側部との間に前記サイドプレートを出し入れ可能に挿入して取り付ける通し口が形成されていることを特徴とする請求項３に記載のつり床装置。
【請求項１０】
複数の前記側壁における隣り合わせた２つの前記側壁は連結ユニットによって環状に連結されて配置され、
隣り合わせた２つの前記側壁はそれぞれ、互いに隣り合わせる側辺部を有し、
前記連結ユニットは、隣り合わせた２つの前記側壁における一方の前記側壁の前記側辺部に前記サイドプレートの横幅に沿う方向である長手方向に沿って他方の前記側壁の前記側辺部に向かって延伸されるように設けられており、帯状に形成された第１の連結部材と第２の連結部材とにより貼り付けたり剥がしたりするように着脱自在な面ファスナーであり、
隣り合わせた２つの前記側壁のそれぞれの前記外側部は、前記通し口側の裏面と、該裏面と逆の表面と、を有し、
前記他方の側壁の前記側辺部には、前記通し口と連結するように前記表面から前記裏面に貫通する抜け口が設けられ、
前記第２の連結部材は、前記一方の側壁の前記表面に固定されるように取り付けられ、
前記第１の連結部材の前記長手方向の一端部が、前記一方の側壁の前記側辺部における前記他方の側壁に向かう端縁部に固定され、
前記第１の連結部材の前記長手方向の他端部が、前記通し口を介して前記抜け口を通って折り返って前記第２の連結部材に貼り付けて連結され、
前記サイドプレートの前記長手方向の両側部のそれぞれには、前記長手方向と垂直な方向沿いに延伸される通し穴が前記抜け口に臨んで設けられていることを特徴とする請求項９に記載のつり床装置。
【請求項１１】
更に前記ベッドフレームに連結されるように前記囲いに隣接して前記マットレスに取り付けられた複数のリテーナユニットを有し、
各前記リテーナユニットは、前記マットレスに連結された一端を有する帯状に延伸された繋ぎ部材と、前記繋ぎ部材の前記一端と反対側の他端に設けられたフック状の留め部材と、を有することを特徴とする請求項１に記載のつり床装置。
【請求項１２】
ベッドフレームと、
前記ベッドフレームに対して所定の高さに位置するように着脱可能に取り付けられるつり床装置と、を有し、
前記つり床装置は、
前記ベッドフレームに対して所定の高さに位置するように平面状に取り付けられるマットレスと、
前記マットレスの周囲四方を取り囲んで前記マットレスと共にスペースを画成した囲いと、
前記囲いを立たせるように前記囲いに着脱可能に取り付けられる補強ユニットと、
前記ベッドフレームに連結されるように前記囲いに隣接して前記マットレスに取り付けられ、前記マットレスに連結された一端を有する帯状に延伸された繋ぎ部材と、前記繋ぎ部材の前記一端と反対側の他端に設けられたフック状の留め部材と、を有する複数のリテーナユニットと、を備えていることを特徴とするベビーベッド。
【発明の詳細な説明】
【技術分野】
【０００１】
本発明は、簡単に着脱可能なつり床装置及び該装置を有するベビーベッドに関する。
【背景技術】
【０００２】
一般にベビーベッドには概ねベッドフレームに着脱可能なつり床装置が取り付けられており、つり床装置は乳幼児の世話をするスペースを画成している囲いを有し、囲いを係合具及びつり紐などでベッドフレームに連結されるように構成されている。乳幼児が囲いやベッドフレームを登って転落することを防止するために、囲いはベッドフレームに対して一定の高さに配置される。また、囲いは乳幼児がぶつかったりしても簡単にけがをしないように緩衝可能な軟質材料で構成されることが一般的である。
【先行技術文献】
【特許文献】
【０００３】
【特許文献１】台湾登録実用新案第２５０６０４号明細書
【発明の概要】
【発明が解決しようとする課題】
【０００４】
しかし、囲いは所定の平面性を保つための剛性を付与すべく肉厚に構成されたり支持するための硬質支持部材が設けられたりするが、これにより収納の利便性が損なわれたり、乳幼児がぶつかったりしてけがを負う問題点がある。
【０００５】
本発明は、上記問題点を解決してなされたものであり、不慮の負傷から乳幼児を守ることができ、ベビーベッドに簡単に着脱可能に装着できるつり床装置及びつり床装置を有するベビーベッドを提供することを目的とする。
【課題を解決するための手段】
【０００６】
上記目的を達成するために、第１の観点に関して、本発明は、ベビーベッドにおけるベッドフレームに配置されるものであって、前記ベッドフレームに対して所定の高さに位置するように平面状に取り付けられるマットレスと、前記マットレスの周囲四方を取り囲んで前記マットレスと共にスペースを画成した囲いと、前記囲いを立たせるように前記囲いに着脱可能に取り付けられる補強ユニットと、を備えていることを特徴とするつり床装置を提供する。
【０００７】
また、第２の観点に関して、本発明は、ベッドフレームと、前記ベッドフレームに対して所定の高さに位置するように着脱可能に取り付けられるつり床装置と、を有し、前記つり床装置は、前記ベッドフレームに対して所定の高さに位置するように平面状に取り付けられるマットレスと、前記マットレスの周囲四方を取り囲んで前記マットレスと共にスペースを画成した囲いと、前記囲いを立たせるように前記囲いに着脱可能に取り付けられる補強ユニットと、前記ベッドフレームに連結されるように前記囲いに隣接して前記マットレスに取り付けられ、前記マットレスに連結された一端を有する帯状に延伸された繋ぎ部材、及び前記繋ぎ部材の前記一端と反対側の他端に設けられたフック状の留め部材を有する複数のリテーナユニットと、を備えていることを特徴とするベビーベッドを提供する。
【発明の効果】
【０００８】
本発明に係るつり床装置及びつり床装置を有するベビーベッドは、補強ユニットが囲いを立たせるように囲いに着脱可能に取り付けられることができるので、つり床装置はベビーベッドに簡単に着脱可能に装着できると共に、軟質の囲いに剛性及び構造強度を付与することができる。従って、剛性及び構造強度を付与した囲いを仕切りとすることができるため、乳幼児が直接ベッドフレームにぶつかったりすることなく不慮の負傷から乳幼児を守ることができる。
【図面の簡単な説明】
【０００９】
【図１】本発明に係るつり床装置を用いたベビーベッドを示す斜視図である。
【図２】本発明に係るつり床装置に用いられる囲いを示す斜視図である。
【図３】本発明に係るつり床装置に用いられる補強ユニットを示す斜視図である。
【図４】囲いにおける連結を示す斜視図である。
【図５】補強ユニットにおける連結を示す正面図である。
【図６】図５における連結を示す分解図である。
【図７】囲いに補強ユニットが挿入された状態を示す斜視図である。
【発明を実施するための形態】
【００１０】
以下、本発明のつり床装置及びつり床装置を有するベビーベッドにおける一つの実施形態について図面を参照して説明する。
【００１１】
（実施形態）
図１は、本発明に係るつり床装置を有するベビーベッドの一つの実施形態を、図２は、本発明に係るつり床装置の一つの実施形態を、図３は、本発明に係るつり床装置の囲いが取り外された補強ユニットをそれぞれ示し、図４は囲いの一部を、図５、図６は補強ユニットの一部を、図７は囲い及び補強ユニットの組立ての一例の一部を拡大して示す。本発明に係るベビーベッドは、ベッドフレーム１００及びベッドフレーム１００に着脱可能に取り付けられているつり床装置２００を備えてなり、つり床装置２００は、ベッドフレーム１００に対して所定の高さに位置するように配置される。
【００１２】
つり床装置２００は、マットレス２と、囲い３と、補強ユニット４と、リテーナユニット５と、を備えている。
【００１３】
マットレス２は、ベビーベッドに対して所定の高さに位置するように平面状に取り付けられる。
【００１４】
囲い３は、軟質材料で構成されている。補強ユニット４は、乳幼児がベッドフレーム１００にぶつかったりしないために囲い３に所定の剛性及び構造強度を付与すると共に、囲い３とで仕切りとしてベッドフレーム１００から隔てて囲い３を立たせるように着脱可能に囲い３に取り付けられている。囲い３は、マットレス２の周囲四方を取り囲んでマットレス２と共に乳幼児を寝かせたり乳幼児が遊んだりするスペース３０を画成している。
【００１５】
リテーナユニット５は、ベッドフレーム１００に連結されるように囲い３に隣接してマットレス２の底部に取り付けられている例えば帯状の繋ぎ部材５１と、繋ぎ部材５１のマットレス２の底部に固定された一端と反対側の他端に設けられた例えばフック状の留め部材５２と、を有する。なお、リテーナユニット５は留め部材５２を介さず、繋ぎ部材５１で直接ベッドフレーム１００に結んで連結されてもよい。
【００１６】
この形態では、囲い３は、図２に示されているように、マットレス２の対向する一方の両側辺部のそれぞれに直立して設けられた２つの第１の側壁３１、３１と、マットレス２の対向する他方の両側辺部のそれぞれに直立して設けられた２つの第２の側壁３３、３３と、を有し、隣接した第１の側壁３１と第２の側壁３３とは環状に配置されるように連結ユニット３２によって連結されている。各側壁３１、３１、３３、３３は例えば布から作られ、それぞれには図４に示されているように、例えば２つ折りして縦断面がスリット状になった通し口３１０、３１０、３３０、３３０が形成されている。
【００１７】
連結ユニット３２は、第２の側壁３３の第１の側壁３１側の側辺部３３ａに設けられ、例えば互いに貼り付けたり剥がしたりすることにより着脱自在に設けられた第１の連結部材３２１と第２の連結部材３２２とを有する。連結ユニット３２は、一例として例えば第１の連結部材３２１をフック状に起毛された側とし、第２の連結部材３２２をループ状に起毛された側として互いに貼り付けたり剥がしたりすることにより面的に着脱自在な面ファスナーを用いることができる。なお、連結ユニット３２として、つり床装置をばらして組み立てることができるように、何度でも自在にくっついたり離れたりできるものが好ましい。
【００１８】
この形態では、第１の連結部材３２１の一端部３２１ａは、第２の側壁３３の２つ折りしてスペース３０側になる内側部３３２の横幅に沿う方向である長手方向沿いの端縁部３３ｂに固定され、第２の連結部材３２２の第１の連結部材３２１と接着する面である表面と逆側の裏面が、第２の側壁３３の２つ折りして外側になった外側部３３１に取り付けられて固定されている。第１の側壁３１の第２の側壁３３側の側辺部３１ａには、第１の側壁３１の２つ折りして外側になる外側部３１１の表面側から通し口３１０側の裏面に貫通して通し口３１０と連通する抜け口３１４が設けられている。第１の連結部材３２１の他端部３２１ｂは通し口３１０を介して抜け口３１４を通って折り返って第２の連結部材３２２に貼り付けて連結される。
【００１９】
補強ユニット４は、囲い３を支持して囲い３の直立性を補強する役割を有し、対向する第１の側壁３１、３１に対応して通し口３１０、３１０に出し入れ可能に差し込んで設けられた第１のサイドプレート４１、４１と、他の対向する第２の側壁３３、３３に対応して通し口３３０に出し入れ可能に差し込んで設けられた第２のサイドプレート４２、４２と、を備えている。
【００２０】
第１のサイドプレート４１、４１及び第２のサイドプレート４２、４２はそれぞれ、横長に並列された数本の横フレーム４１ａ、４２ａと、横フレーム４１ａ、４２ａと垂直に直立された縦フレーム４１ｂ、４２ｂと、筋交い状に構成された支えフレーム４１ｃ、４２ｃと、からそれぞれ矩形状に構成されており、それぞれは背中合わせの２つの側面部４１０、４１０、２つの側面部４２０、４２０を有し、各側面部４１０、４１０、４２０、４２０はそれぞれ対応する第１の側壁３１と第２の側壁３３との通し口３１０、３３０に挿入されて、第１の側壁３１と第２の側壁３３との通し口３１０、３３０側の内面部３１３、３１３、３３３、３３３と密接するように設けられている。なお、側面部４１０（４２０）は、内面部３１３（３３３）に密接するように設けられているが、少なくとも１つだけ、対応する側壁３１（３３）に密接するように設けられればよい。
【００２１】
第１のサイドプレート４１、４１と第２のサイドプレート４２、４２とはそれぞれ、第１の側壁３１と第２の側壁３３とに対応する形状及びサイズを有することが好ましく、第１の側壁３１、３１と第２の側壁３３、３３とが矩形状に構成された場合、第１のサイドプレート４１、４１と第２のサイドプレート４２、４２とも矩形状に構成される。
【００２２】
第１のサイドプレート４１はコンパクトに収納するためにばらしたり組立てたりすることが自在となるように、第１の長手方向に沿って長く並ぶように互いに係脱可能に連結自在な２つの第１の枠板４１１、４１１から構成されている。なお、この形態では、第２のサイドプレート４２、４２は、第１の枠板４１１と同じサイズを有するように構成されているが、第１のサイドプレート４１と同様に、ばらしたり組立てたりすることが自在に複数の枠板から構成されてもよい。この形態では、第１のサイドプレート４１は２つの第１の枠板４１１、４１１からなっているが、ベビーベッドの大きさに応じて、３つ以上の枠板で構成されてもよい。
【００２３】
第１の枠板４１１、４１１はそれぞれ第１のサイドプレート４１の横幅に沿う方向である第１の長手方向沿いに延伸されており、それぞれには数本の中空部を有する通し柱４１２が互いに所定の間隔をおいて横フレーム４１ａの間に直線状に配置され、差し棒４１７、４１７を対応する通し柱４１２の中空部に連続的に挿入して第１の枠板４１１、４１１を連結すると、第１のサイドプレート４１となって組み立てられる。第１の枠板４１１、４１１の互いに対向する端面４１１ａ、４１１ａには、差し棒４１７が通り抜ける端孔４１６が設けられている。通し柱４１２及び差し棒４１７は、第１の枠板４１１、４１１間の連結を補強すると共に、第１のサイドプレート４１の囲い３への支持性をも補強することができる。
【００２４】
第１の枠板４１１、４１１の間の連結性を強固に高めるために、第１の枠板４１１同士の間に例えば凹凸に接合可能な係着部材が設けられることができ、この形態では、第１の枠板４１１、４１１の互いに対向する端面４１１ａ、４１１ａには、第１の係着部材４１３と第２の係着部材４１４とが係脱可能に設けられている。
【００２５】
第２のサイドプレート４２は、ベビーベッドの大きさに応じて横フレーム４２ａ、縦フレーム４２ｂ、横フレーム４２ａ同士の間に配置された中空部４２３を有する通し柱４２２などから短く構成された矩形状の第２の枠板４２１を有する。通し柱４２２の中空部４２３には差し棒４２７が挿通されて配置されている。これによって、第２の枠板４２１の構造強度を高めることができる。第２のサイドプレート４２は、この形態では、短く形成されているため、第１のサイドプレート４１のように２分割してばらしたり組み立てたりする必要はないが、場合によって２分割、３分割して係脱自在に連結されるように構成されてもよい。
【００２６】
図５、図６に示されているように、第１の係着部材４１３は、２つの固定ブロック４１３ｃがそれぞれ端孔４１６の両側に配置されるように端面４１１ａから第１の長手方向沿いに突き出て設けられ、各固定ブロック４１３ｃには、第１の長手方向沿いに延伸されるように設けられた溝孔４１３ａと、溝孔４１３ａよりも径小に差し棒４１７側に開放されたスリット状に形成されたスロット４１３ｂと、が形成されている。
【００２７】
第２の係着部材４１４は、差し棒４１７が挿通されるように端孔４１６と連通すると共に端孔４１６とほぼ同径に長く形成された軸孔４１４ｃを画成した軸体４１４ｄと、軸体４１４ｄの長手方向の両側にフラップ状に延伸されて形成され、スロット４１３ｂに対応して挿入される挿入プレート４１４ｂ、４１４ｂと、挿入プレート４１４ｂより側方に突き出て溝孔４１３ａに対応して挿入されるように形成された連結軸４１４ａと、を有する。挿入プレート４１４ｂと連結軸４１４ａとにより形成された谷間が凹凸状に形成されている。
【００２８】
これによって、挿入プレート４１４ｂと連結軸４１４ａとがスロット４１３ｂと溝孔４１３ａとに挿入されると、安易に脱離することなく安定して係着され定位されることができる。従って、差し棒４１７が断裂する危険性も大幅に低減することができ、第１の枠板４１１、４１１の間が強固に連結される。
【００２９】
第１のサイドプレート４１、４１の第１の長手方向の両側部のそれぞれには、第１の長手方向と垂直な方向沿いに延伸される通し穴４１８、４１８が抜け口３１４に臨んで設けられている。第１のサイドプレート４１は、この形態において長く構成された矩形枠体であるため、通し口３１０に出し入れることが困難であるが、通し穴４１８が設けられていることにより、指で通し穴４１８を掴むことによって容易に通し口３１０に出し入れすることができる。また、通し穴４１８が設けられていることにより、第１の連結部材３２１の他端部３２１ｂは、通し穴４１８と抜け口３１４とを通して折り返って第２の連結端部３２２に連結されることができる。
【００３０】
以上により、本発明に係るつり床装置は、補強ユニット４が着脱可能に組み立てられるように囲い３に対して支えることができると共に、囲い３を直立して立たせるように配置されることができる。従って、補強ユニット４は、軟質の囲い３の剛性及び構造強度を付与することができる。
【００３１】
本発明に係るつり床装置をベビーベッドに装着するときは、リテーナユニット５によって直接ベッドフレーム１００に結んで連結されて配置される。このように、本発明に係るつり床装置が装着されたベビーベッドは、補強ユニット４によって支えられた囲い３を介して乳幼児のスペース３０内における硬質のベッドフレーム１００への不意の衝突から乳幼児を守ることができる。従って、乳幼児が使用するベビーベットの利用安全性を高めることができる。
【００３２】
また、補強ユニット４は、複数の枠板からなるサイドプレートを備えて構成しているので、使用するときには、容易く連結したり取り付けることができ、その一方、使用しないときには、素早くサイドプレートの連結を解除してコンパクトに分離することができる。従って、簡単にパッケージや配送、収納、保存することができる。
【００３３】
上記の如く、図面を参照して本発明の実施形態の一つを説明したが、本発明は、図示した実施例に限定されるものではない。本発明と同一の範囲内において、または均等の範囲内において、図示した実施形態に対して種々の変更を加えることが可能である。
【産業上の利用可能性】
【００３４】
本発明に係るつり床装置は、分離してコンパクトに収納するためのつり床装置に有用である。
【符号の説明】
【００３５】
１００  ベッドフレーム                          ４１１  第１の枠板
２００  つり床装置                              ４１１ａ  端面
２  マットレス                                  ４１２  通し柱
３  囲い                                        ４１３  第１の係着部材
３０  スペース                                  ４１３ａ  溝孔
３１  第１の側壁                                ４１３ｂ  スロット
３１ａ  側辺部                                  ４１３ｃ  固定ブロック
３１０、３３０  通し口                          ４１４  第２の係着部材
３１１  外側部                                  ４１４ａ  連結軸
３１３、３３３  内面部                          ４１４ｂ  挿入プレート
３１４  抜け口                                  ４１４ｃ  軸孔
３２  連結ユニット                              ４１４ｄ  軸体
３２１  第１の連結部材                          ４１６  端孔
３２１ａ  一端部                                ４１７  差し棒
３２１ｂ  他端部                                ４１８  通し穴
３２２  第２の連結部材                          ４２  第２のサイドプレート
３３  第２の側壁                                ４２ａ  横フレーム
３３ａ  側辺部                                  ４２ｂ  縦フレーム
３３ｂ  端縁部                                  ４２ｃ  支えフレーム
３３１  外側部                                  ４２０  側面部
３３２  内側部                                  ４２１  第２の枠板
４  補強ユニット                                ４２２  通し柱
４１  第１のサイドプレート                      ４２３  中空部
４１ａ  横フレーム                              ４２７  差し棒
４１ｂ  縦フレーム                              ５  リテーナユニット
４１ｃ  支えフレーム                            ５１  繋ぎ部材
４１０  側面部                                  ５２  留め部材
【図１】
2014117605.tif 000003
【図２】
2014117605.tif 000004
【図３】
2014117605.tif 000005
【図４】
2014117605.tif 000006
【図５】
2014117605.tif 000007
【図６】
2014117605.tif 000008
【図７】
2014117605.tif 000009